(57)【要約】【課題】作業性の向上を図るとともに構造的にコンパクトなコネクタ接続をすることが可能なブラケット結合構造を提供する。【解決手段】取付板としてのインナーパネル１２びルーフトリム１側に固定されるパネル側ブラケット５に対し補器側ブラケット８を回転させることにより、結合を図ることができるような構造になっている。具体的には、補器側ブラケット８のフック部１３をインナーパネル１２に引っ掛け、この後に引っ掛け部分を回転中心にして補器側ブラケット８をパネル側ブラケット５に向けて回転させることにより、結合を図ることができるような構造になっている。また、本発明のブラケット結合構造は、一つのネジ１４及びナット１５を用いて、言い換えれば一回のネジ止めだけで、パネル側ブラケット５及び補器側ブラケット８を固定することができるとともに結合を維持することができるような構造になっている。【選択図】図２
2011131672.tif 000002
【特許請求の範囲】
【請求項１】
第一取付孔を有する第一取付板と、
前記第一取付孔の位置に合わせて第二取付孔を有し前記第一取付板よりもブラケット取り付け側となる内側に配置される第二取付板と、
前記第一取付板に対向する前記第二取付板の一方の面に第一ブラケット本体が固定される第一ブラケットと、
前記第二取付板の他方の面側から前記第一ブラケットに対し結合する第二ブラケットと、
を備え、
該第二ブラケットにおける第二ブラケット本体の一端側に形成されるフック部を前記第二取付孔を介して前記第一取付孔の縁部に引っ掛けるとともに、該引掛け部分を回転中心として前記第二ブラケットを前記第一ブラケットへ向けて回転させると、該回転途中において前記第二ブラケット本体の中間に位置する第二コネクタが前記第一ブラケット本体の中間に位置する第一コネクタに対し当接するとともに、該当接に伴って前記第一コネクタが前記第二取付板の撓みによって前記第二コネクタの進入角度に補正される
ことを特徴とするブラケット結合構造。
【請求項２】
請求項１に記載のブラケット結合構造において、
前記第一取付板に当接する接点部を前記第一ブラケット本体に形成し、前記第二取付板の撓みの際に前記接点部を軸として前記第一ブラケットが動くと、前記第一コネクタが前記第二コネクタの進入角度に補正される
ことを特徴とするブラケット結合構造。
【請求項３】
請求項２に記載のブラケット結合構造において、
前記接点部の位置に合わせて挟持固定部を前記第一ブラケット本体に形成し、前記挟持固定部により前記第二取付孔の縁部を挟み込むと、前記第一ブラケット本体が前記第二取付板に固定される
ことを特徴とするブラケット結合構造。
【請求項４】
請求項１ないし請求項３いずれか記載のブラケット結合構造において、
前記第二ブラケット本体の他端側にブラケット側ネジ止め部を一つ形成するとともに、該ブラケット側ネジ止め部の位置に合わせて前記第一取付板に取付板側ネジ止め部を一つ形成し、前記ブラケット側ネジ止め部を介してネジを前記取付板側ネジ止め部の位置で螺合させると、前記フック部及び前記縁部の引っ掛かり合いと協働して前記第一ブラケット及び前記第二ブラケットが固定され且つ結合が維持される
ことを特徴とするブラケット結合構造。
【発明の詳細な説明】
【技術分野】
【０００１】
本発明は、ブラケット結合構造に関し、詳しくは、例えばサンバイザ等の自動車室内に装備される補器を取付板に対し固定する際に用いるブラケットの結合構造に関する。
【背景技術】
【０００２】
下記特許文献１には、幾つかのブラケット結合構造が開示されている。先ず図９を参照しながら一つ目のブラケット結合構造について説明する。
【０００３】
引用符号１０１はパネル側ブラケットを、また、引用符号１０２は補器側ブラケットを示している。パネル側ブラケット１０１は、ブラケット本体１０３と、このブラケット本体１０３の下面側に一体に形成される挟持部１０４と、ブラケット本体１０３の上面側に一体に設けられるパネル側コネクタ１０５と、図示しない二つのネジ止め部とを有している。パネル側コネクタ１０５は、ブラケット本体１０３の下面に図示しないコネクタ嵌合部の開口を有するように形成されている。一方、補器側ブラケット１０２は、ブラケット本体１０６と、このブラケット本体１０６の上面側に一体に設けられる補器側コネクタ１０７と、補器側コネクタ１０７の両側に位置するようにブラケット本体１０６に形成される二つのネジ止め部１０８とを有している。
【０００４】
パネル側ブラケット１０１及び補器側ブラケット１０２の結合に係り、引用符号１０９はインナーパネルを、また、引用符号１１０はルーフトリムを示している。インナーパネル１０９及びルーフトリム１１０は取付板であって、これらにはそれぞれ取付孔１１１及び１１２が位置を合わせて貫通形成されている。
【０００５】
上記構成において、パネル側ブラケット１０１及び補器側ブラケット１０２の結合としては、先ず、パネル側ブラケット１０１をルーフトリム１１０の取付孔１１２に挿入し、この挿入軸を中心にパネル側ブラケット１０１を所定角度だけ回転させて挟持部１０４を取付孔１１２の縁部に係止する。これにより、パネル側ブラケット１０１はルーフトリム１１０に仮固定される（図９（ａ）参照）。次に、仮固定状態にあるパネル側ブラケット１０１に対し補器側ブラケット１０２を組み付ける（図９（ｂ）参照）。具体的には、パネル側ブラケット１０１の下方から補器側ブラケット１０２を近接させ、パネル側コネクタ１０５と補器側コネクタ１０７とコネクタ接続することにより結合する。最後に、補器側ブラケット１０２の二つのネジ止め部１０８及びインナーパネル１０９の図示しない二つのネジ止め部にネジ１１３をそれぞれ螺入して本固定をすると、一連の結合作業が完了する。
【０００６】
次に、図１０を参照しながら二つ目のブラケット結合構造について説明する。
【０００７】
引用符号１２１はパネル側ブラケットを、また、引用符号１２２は補器側ブラケットを示している。パネル側ブラケット１２１は、ブラケット本体１２３と、このブラケット本体１２３の下面側に一体に形成される挟持部１２４と、ブラケット本体１２３の上面側に一体に設けられ下方及び側方が開口するパネル側コネクタ１２５とを有している。一方、補器側ブラケット１２２は、ブラケット本体１２６と、このブラケット本体１２６の上面側且つ一端側に一体に設けられる補器側コネクタ１２７と、補器側コネクタ１２７の両側に位置するようにブラケット本体１２６に一体に設けられる図示しないグロメットスクリューと、ブラケット本体１２６の上面側且つ他端側に一体に設けられるフック部１２８とを有している。尚、引用符号１２９はサンバイザの支持ロッドを示している。この支持ロッド１２９内には、図示しない補器に接続される電線が収容されている。
【０００８】
パネル側ブラケット１２１及び補器側ブラケット１２２の結合に係り、引用符号１３０はルーフトリムを示している。ルーフトリム１３０は取付板であって、取付孔１３１が貫通形成されている。
【０００９】
上記構成において、パネル側ブラケット１２１及び補器側ブラケット１２２の結合としては、先ず、パネル側ブラケット１２１をルーフトリム１３０の取付孔１３１に挿入し、挟持部１２４を取付孔１３１の一端側縁部に係止する。これにより、パネル側ブラケット１２１はルーフトリム１３０に固定される。次に、図１０（ａ）に示す如く補器側ブラケット１２２を斜めに傾斜させてフック部１２８を取付孔１３１に挿入するようにして取付孔１３１の他端側縁部に引っ掛ける。最後に、フック部１２８を回転中心として補器側ブラケット１２２を取付孔１３１内に押し込む方向Ｒに回転させ、そして、この回転に伴って補器側コネクタ１２７をパネル側ブラケット１２１のパネル側コネクタ１２５にコネクタ接続し結合させると、一連の結合作業が完了する（図１０（ｂ）参照）。補器側コネクタ１２７は、パネル側コネクタ１２５の下方及び側方が開口することから、補器側ブラケット１２２を回転させてもコネクタ接続をすることが可能である。
【００１０】
尚、上記一つ目のブラケット結合構造と同様な技術が下記特許文献２にも開示されている。
【先行技術文献】
【特許文献】
【００１１】
【特許文献１】特開２００６−２８９５号公報
【特許文献２】特開２００２−１９２９４９号公報
【発明の概要】
【発明が解決しようとする課題】
【００１２】
ところで、上記従来技術における一つ目のブラケット結合構造にあっては、パネル側ブラケット１０１及び補器側ブラケット１０２をインナーパネル１０９に固定するためとして、少なくとも二箇所をネジ止めする必要があることから、作業時間が掛かってしまうという問題点を有している。また、作業者は上向きでネジ止めをしなければならないことから、作業者への負担が大きくなってしまうという問題点を有している。上向きでのネジ止め作業は、先ずサンバイザと共に補器側ブラケット１０２をルーフトリム１１０に押し付け、次に作業者手前側のネジ止めを行い、続いてサンバイザを手前側に倒し、最後に奥側のネジ止めを行うという繁雑な作業になってしまう。
【００１３】
一方、上記従来技術における二つ目のブラケット結合構造にあっては、補器側ブラケット１２２を回転させて補器側コネクタ１２７とパネル側コネクタ１２５とをコネクタ接続することから、補器側コネクタ１２７及びパネル側コネクタ１２５が一つ目のブラケット結合構造の場合よりも大型になってしまうという問題点を有している。尚、二つのコネクタが大型化すると、これに伴ってルーフトリム１２９の取付孔１３１も大きく開口させる必要があり、場合によってはルーフトリム１３０の強度低下につながってしまうという虞を有している。
【００１４】
本発明は、上記した事情に鑑みてなされたもので、作業性の向上を図るとともに構造的にコンパクトなコネクタ接続をすることが可能なブラケット結合構造を提供することを課題とする。
【課題を解決するための手段】
【００１５】
上記課題を解決するためになされた請求項１記載の本発明のブラケット結合構造は、第一取付孔を有する第一取付板と、前記第一取付孔の位置に合わせて第二取付孔を有し前記第一取付板よりもブラケット取り付け側となる内側に配置される第二取付板と、前記第一取付板に対向する前記第二取付板の一方の面に第一ブラケット本体が固定される第一ブラケットと、前記第二取付板の他方の面側から前記第一ブラケットに対し結合する第二ブラケットと、を備え、該第二ブラケットにおける第二ブラケット本体の一端側に形成されるフック部を前記第二取付孔を介して前記第一取付孔の縁部に引っ掛けるとともに、該引掛け部分を回転中心として前記第二ブラケットを前記第一ブラケットへ向けて回転させると、該回転途中において前記第二ブラケット本体の中間に位置する第二コネクタが前記第一ブラケット本体の中間に位置する第一コネクタに対し当接するとともに、該当接に伴って前記第一コネクタが前記第二取付板の撓みによって前記第二コネクタの進入角度に補正されることを特徴とする。
【００１６】
請求項２記載の本発明のブラケット結合構造は、請求項１に記載のブラケット結合構造において、前記第一取付板に当接する接点部を前記第一ブラケット本体に形成し、前記第二取付板の撓みの際に前記接点部を軸として前記第一ブラケットが動くと、前記第一コネクタが前記第二コネクタの進入角度に補正されることを特徴とする。
【００１７】
請求項３記載の本発明のブラケット結合構造は、請求項２に記載のブラケット結合構造において、前記接点部の位置に合わせて挟持固定部を前記第一ブラケット本体に形成し、前記挟持固定部により前記第二取付孔の縁部を挟み込むと、前記第一ブラケット本体が前記第二取付板に固定されることを特徴とする。
【００１８】
請求項４記載の本発明のブラケット結合構造は、請求項１ないし請求項３いずれか記載のブラケット結合構造において、前記第二ブラケット本体の他端側にブラケット側ネジ止め部を一つ形成するとともに、該ブラケット側ネジ止め部の位置に合わせて前記第一取付板に取付板側ネジ止め部を一つ形成し、前記ブラケット側ネジ止め部を介してネジを前記取付板側ネジ止め部の位置で螺合させると、前記フック部及び前記縁部の引っ掛かり合いと協働して前記第一ブラケット及び前記第二ブラケットが固定され且つ結合が維持されることを特徴とする。
【００１９】
以上のような特徴を有する本発明の作用に関しては、発明を実施するための形態の欄で説明する。
【発明の効果】
【００２０】
請求項１に記載された本発明によれば、第二ブラケットにおける第二コネクタの動きに合わせて第一ブラケットの第一コネクタが追従する結合構造であることから、従来に比べ構造的にコンパクトなコネクタ接続をすることができるという効果を奏する。
【００２１】
請求項２に記載された本発明によれば、接点部を設けることにより第二取付板を有効に撓ませることができるという効果を奏する。
【００２２】
請求項３に記載された本発明によれば、接点部の位置に合わせて挟持固定部を設けることにより第二取付板を有効に撓ませることができるという効果を奏する。
【００２３】
請求項４に記載された本発明によれば、一回のネジ止めで第一ブラケット及び第二ブラケットを固定することができ、また、結合を維持することができるという効果を奏する。従って、従来に比べ作業性の向上を図ることができるという効果を奏する。
【図面の簡単な説明】
【００２４】
【図１】本発明のブラケット結合構造の適用箇所を示す模式図である。
【図２】パネル側ブラケット及び補器側ブラケットの側面図であり、（ａ）は結合前の状態を示す側面図、（ｂ）は結合後の状態を示す側面図である。
【図３】ブラケット結合構造に係る分解斜視図である。
【図４】パネル側ブラケットの固定状態を示す斜視図である。
【図５】パネル側ブラケット及び補器側ブラケットの結合過程（第一の状態）を示す図であり、（ａ）はパネル側ブラケット及び補器側ブラケットの側面図、（ｂ）はパネル側ブラケットと取付板の関係を示す拡大図である。
【図６】パネル側ブラケット及び補器側ブラケットの結合過程（第二の状態）を示す図であり、（ａ）はパネル側ブラケット及び補器側ブラケットの側面図、（ｂ）はパネル側ブラケットと取付板の関係を示す拡大図である。
【図７】パネル側ブラケット及び補器側ブラケットの結合過程（第三の状態）を示す図であり、（ａ）はパネル側ブラケット及び補器側ブラケットの側面図、（ｂ）はパネル側ブラケットと取付板の関係を示す拡大図である。
【図８】パネル側ブラケット及び補器側ブラケットの結合過程（第四の状態）を示す図であり、（ａ）はパネル側ブラケット及び補器側ブラケットの側面図、（ｂ）はパネル側ブラケットと取付板の関係を示す拡大図である。
【図９】従来例の一つ目となるブラケット結合構造の図であり、（ａ）は結合前の状態を示す一部破断部分を含む側面図、（ｂ）はネジ止め直前の状態を示す一部破断部分を含む側面図である。
【図１０】従来例の二つ目となるブラケット結合構造の図であり、（ａ）は結合前の状態を示す一部破断部分を含む側面図、（ｂ）は結合後の状態を示す一部破断部分を含む側面図である。
【発明を実施するための形態】
【００２５】
以下、図面を参照しながら本発明の一実施形態を説明する。図１は本発明のブラケット結合構造の適用箇所を示す模式図である。また、図２はパネル側ブラケット及び補器側ブラケットの側面図、図３はブラケット結合構造に係る分解斜視図、図４はパネル側ブラケットの固定状態を示す斜視図、図５〜図８はパネル側ブラケット及び補器側ブラケットの結合過程を示す図である。
【００２６】
図１において、自動車に備えられる補器は、例えば運転席や助手席の上方に存在するルーフトリム１に配設される電装品付きのサンバイザ２が一例として挙げられる。また、ルーフトリム１の中央位置に配設されるルームランプ３も一例として挙げられる。これらは一般的に知られている。ルーフトリム１の上面側（ここでは図示しないインナーパネルが存在する側）には、上記補器を取り付ける位置に合わせてワイヤハーネス４が配索されている。電装品付きのサンバイザ２は、ワイヤハーネス４の端末が接続されるパネル側ブラケット５と、支持ロッド６を介してサンバイザ本体７が一体化する補器側ブラケット８とを備えており、これらブラケット同士を結合させる構造になっている。また、ルームランプ３も、ワイヤハーネス４の端末が接続されるパネル側ブラケット９と、ルームランプ本体１０が一体化する補器側ブラケット１１とを備えており、これらブラケット同士を結合させる構造になっている。
【００２７】
以下、本発明のブラケット結合構造の代表例として、サンバイザ２のパネル側ブラケット５及び補器側ブラケット８を結合させる構造を説明するものとする。尚、説明にあたっては、支持ロッド６及びサンバイザ本体７の図示は省略するものとする。
【００２８】
図２において、本発明のブラケット結合構造は、取付板としてのインナーパネル１２（第一取付板）及びルーフトリム１（第二取付板）側に固定されるパネル側ブラケット５に対し補器側ブラケット８を回転させることにより、結合を図ることができるような構造になっている。具体的には、補器側ブラケット８のフック部１３をインナーパネル１２に引っ掛け、この後に引っ掛け部分を回転中心にして補器側ブラケット８をパネル側ブラケット５に向けて回転（矢印Ｒの方向へ回転）させることにより、結合を図ることができるような構造になっている。また、本発明のブラケット結合構造は、一つのネジ１４及びナット１５を用いて、言い換えれば一回のネジ止めだけで、パネル側ブラケット５及び補器側ブラケット８を固定することができるとともに結合を維持することができるような構造になっている。
【００２９】
図３において、インナーパネル１２は、室内の天井を構成する金属製の取付板であって、図示しないアウターパネルの内側に配設されている。ここでは要部のみを図示するものとし、実際には大きなものであるものとする。インナーパネル１２には、取付孔１６（第一取付孔）と、取付板側ネジ止め部１７とがそれぞれ所望の形状にて貫通形成されている。取付孔１６は、パネル側ブラケット５及び補器側ブラケット８の結合に合わせて開口形状が設定されている。取付孔１６の一端側の縁部には、補器側ブラケット８のフック部１３が引っ掛かるフック係合部１８が形成されている。取付板側ネジ止め部１７は、取付孔１６の他端側近傍に配置形成されている。取付板側ネジ止め部１７は、インナーパネル１２の下面側から突出するような略漏斗形状に貫通形成されている。取付板側ネジ止め部１７には、ナット１５が収まるようなサイズに形成されている。取付板側ネジ止め部１７は、この先端が補器側ブラケット８に当接するような高さで形成されている。
【００３０】
ルーフトリム１は、室内の天井を構成する取付板であるとともに室内に面する内張であって、所定の間隔をあけてインナーパネル１２の内側に配設されている。ここでは要部のみを図示するものとし、実際には図１のように大きなものであるものとする。ルーフトリム１は、インナーパネル１２のように金属製ではなく、多少撓みを生じさせることが可能な一般的な材質にて製造されている。ルーフトリム１には、取付孔１９（第二取付孔）が所望の形状にて貫通形成されている。取付孔１９は、インナーパネル１２の取付孔１６の位置に合わせて配置形成されている。また、取付孔１９は、パネル側ブラケット５及び補器側ブラケット８の結合に合わせて開口形状が設定されている。取付孔１９は、インナーパネル１２の取付孔１６と異なる形状で開口するように形成されている。
【００３１】
取付孔１９の一端側には、補器側ブラケット８のフック部１３に対するフック逃がし部２０が形成されている。また、取付孔１９の他端側には、インナーパネル１２の取付板側ネジ止め部１７に対するネジ止め逃がし部２１が形成されている。さらに、取付孔１９の両側部には、パネル側ブラケット５を固定する部分としてのブラケット固定部２２がそれぞれ形成されている。
【００３２】
図３及び図４において、パネル側ブラケット５は、インナーパネル１２に対向するルーフトリム１の一方の面２３に固定される部材であって、一対のパネル側ブラケット本体２４（第一ブラケット本体）と、一対のパネル側コネクタ２５（第一コネクタ）とを有している。パネル側ブラケット５には、図１に示すようにワイヤハーネス４の端末が接続されている。
【００３３】
一対のパネル側ブラケット本体２４は、上記一方の面２３に固定されるパネル固定部２６と、このパネル固定部２６に連成されるアーム部２７とを有している。パネル固定部２６は、ルーフトリム１の取付孔１９におけるブラケット固定部２２の位置に配置されるとともに固定される部分であって、固定に関しては取付孔１９の縁部を挟み込むような形状に形成される挟持固定部２８を一体に有している。挟持固定部２８は、ルーフトリム１の厚みに合わせて凹むような略コ字状となる形状に形成されている。
【００３４】
パネル固定部２６は、挟持固定部２８の他に接点部２９を一体に有している。この接点部２９は、パネル固定部２６の上面から突出するように形成されている。また、挟持固定部２８の位置に合わせて配置形成されている。接点部２９は、曲面となる突出先端がインナーパネル１２に対して当接するように形成されている。アーム部２７は、パネル固定部２６に対して一段高くなる片持ちアーム形状に形成されている。また、アーム部２７は、取付孔１９の縁部形状に合わせて曲がる略Ｌ字状の形状に形成されている。アーム部２７は、一段高くなることから（但し接点部２９よりも若干低くなるものとする）、上記一方の面２３に対して隙間が空くように配置形成されている。このようなアーム部２７は、パネル側ブラケット５の固定状態を維持したままでパネル側ブラケット５の姿勢が許容以上に変わろうとする際、上記一方の面２３に対して当接するように形成されている。アーム部２７は、ストッパとしての機能を有している。
【００３５】
パネル側コネクタ２５は、補器側ブラケット８との電気的且つ構造的な結合を行う部分であって、上下方向に延びるように形成されている。パネル側コネクタ２５は、このハウジング３０がパネル固定部２６に連成されている。ハウジング３０の内部には、図示しない端子金具が収容されている。パネル側コネクタ２５は、パネル固定部２６の下面位置に図示しないコネクタ嵌合部の開口を有するように形成されている。各パネル側コネクタ２５は、ブリッジ部３１により繋がれている。各パネル側コネクタ２５及びブリッジ部３１は、インナーパネル１２及びルーフパネル１の組み付け時において、インナーパネル１２の取付孔１６を通過し図示しないアウタパネル側へと突出するようになっている。
【００３６】
図２及び図３において、補器側ブラケット８は、パネル側ブラケット５との結合を図るため、パネル側ブラケット５に向けて回転させることができるような部材であって、補器側ブラケット本体３２（第二ブラケット本体）と、この補器側ブラケット本体３２に対して組み付けられる一対の補器側コネクタ３３（第二コネクタ）とを有している。補器側ブラケット８には、図１に示すように支持ロッド６を介してサンバイザ本体７が組み付けられている。
【００３７】
補器側ブラケット本体３２は、平板状且つ平面視長円形状となる略小判形状に形成されている（形状は一例であるものとする）。補器側ブラケット本体３２は、この上面３４がルーフトリム１の他方の面３５に対して略密着するような形状に形成されている。このような補器側ブラケット本体３２の一端側には、フック部１３が設けられている。また、補器側ブラケット本体３２の中間には、支持ロッド固定部３６と、コネクタ固定部３７とが設けられている。さらに、補器側ブラケット本体３２の他端側には、ブラケット側ネジ止め部３８が設けられている。
【００３８】
フック部１３は、逆Ｌ字状となる形状に形成されている。本形態におけるフック部１３は、逆Ｌ字状となる板を三枚並べるとともに、これらを連結部によって繋いだような図３に示す如くの形状に形成されている。フック部１３は、この先端側が水平方向外側に向くように形成されている。また、インナーパネル１２におけるフック係合部１８に対して引っ掛かるように形成されている。さらに、パネル側ブラケット５及び補器側ブラケット８の結合時において、フック係合部１８に対し係合するように形成されている。フック部１３は、変形が生じないような剛性のある部分に形成されている。
【００３９】
支持ロッド固定部３６は、支持ロッド６（図１参照）を支持する部分として形成されている。支持ロッド固定部３６は、筒状に形成されている。支持ロッド固定部３６に支持された支持ロッド６からは、補器側の電線が引き出されるようになっている。この電線は、一対の補器側コネクタ３３に接続されている。
【００４０】
コネクタ固定部３７は、一対の補器側コネクタ３３を含むコネクタ構造体３９に対する固定部分として形成されている。コネクタ固定部３７は、コネクタ構造体３９の形状に合わせて形成されている。本形態においては、略コ字状となり且つ浅底となる凹みに形成されている。このようなコネクタ固定部３７の各所には、コネクタ構造体３９を係止するためのロック部４０が形成されている。
【００４１】
ブラケット側ネジ止め部３８は、ネジ１４を挿通する部分として形成されている。このようなブラケット側ネジ止め部３８の周縁部分には、インナーパネル１２の下面から突出する取付板側ネジ止め部１７の先端が当接するようになっている。
【００４２】
コネクタ構造体３９は、ベース４１と、このベース４１に一体化する一対の補器側コネクタ３３とを有して構成されている。ベース４１は、コネクタ固定部３７に係止される部分であって、ロック部４０に対応する位置に被ロック部４２が形成されている。補器側コネクタ３３は、パネル側ブラケット５との電気的且つ構造的な結合を行う部分であって、上下方向に延びるように形成されている。
【００４３】
補器側コネクタ３３は、このハウジング４３がベース４１に連成されている。ハウジング４３の内部には、図示しない端子金具が収容されている。補器側コネクタ３３は、相手側のパネル側コネクタ２５における図示しないコネクタ嵌合部に挿入されるように形成されている。
【００４４】
コネクタ構造体３９における引用符号４４はブリッジ部を示している。このブリッジ部４４は、パネル側ブラケット５のブリッジ部３１と同様の部分であって、パネル側ブラケット５及び補器側ブラケット８の結合時には、インナーパネル１２の取付孔１６を通過して図示しないアウタパネル側へ突出するようになっている。
【００４５】
上記構成において、図５ないし図８を参照しながら、パネル側ブラケット５及び補器側ブラケット８の結合について説明する。
【００４６】
図５において、パネル側ブラケット５はルーフトリム１に固定され、このパネル側ブラケット５を固定した状態のルーフトリム１はインナーパネル１２に組み付けられている。具体的には、パネル側ブラケット５は、ルーフトリム１の一方の面２３に一対のパネル側ブラケット本体２４を載置するような状態で、また、挟持固定部２８によって取付孔１９の縁部を挟み込むような状態で、ルーフトリム１に対し固定されている。パネル側ブラケット５は、ルーフトリム１に固定されると、アーム部２７が上記一方の面２３に対し隙間をあけるような状態で配置されている。
【００４７】
ルーフトリム１は、公知の方法でインナーパネル１２に組み付けられると、パネル側ブラケット５の接点部２９がインナーパネル１２に当接するようになっている。ルーフトリム１が組み付けられると、インナーパネル１２は、この取付板側ネジ止め部１７がルーフトリム１のネジ止め逃がし部２１（図３参照）に挿通されるようになっている。
【００４８】
図５には、パネル側ブラケット５及び補器側ブラケット８の結合過程における第一の状態が示されている。第一の状態にあっては、補器側ブラケット８はこれを斜めに傾斜させてフック部１３をインナーパネル１２の取付孔１６におけるフック係合部１８（図３参照）に引っ掛けるようになっている。フック部１３をフック係合部１８に引っ掛けるにあたり、フック部１３はルーフトリム１の取付孔１９（図３参照）に挿入されるようになっている。結合過程における第一の状態にあっては、パネル側ブラケット５のパネル側コネクタ２５は上下方向に延び、補器側ブラケット８の補器側コネクタ３３は斜め方向に延びるようになっている。
【００４９】
図６には、パネル側ブラケット５及び補器側ブラケット８の結合過程における第二の状態が示されている。第二の状態にあっては、補器側ブラケット８はフック部１３及びこの引掛け部分が回転中心となり、これによって矢印Ｒ方向に回転するようになっている。補器側ブラケット８はこの回転途中において、補器側コネクタ３３の上端部分がパネル側コネクタ２５の下端部分に当接するようになっている。従ってパネル側ブラケット５には、補器側ブラケット８からの押し込みの力が作用するようになっている。補器側ブラケット８からの押し込みの力がパネル側ブラケット５に作用すると、このパネル側ブラケット５を介してルーフトリム１における取付孔１９（図３参照）の周辺にも力が作用するようになっている。ルーフトリム１は可撓性を有することから撓みが生じ、パネル側ブラケット５はルーフトリム１との固定状態を保ちつつ接点部２９を軸として傾くようになっている。パネル側コネクタ２５はパネル側ブラケット５が傾くことから、補器側コネクタ３３の進入角度に補正されるようになっている。
【００５０】
図７には、パネル側ブラケット５及び補器側ブラケット８の結合過程における第三の状態が示されている。第三の状態にあっては、補器側ブラケット８は矢印Ｒ方向に更に回転し、これに伴って補器側コネクタ３３はパネル側コネクタ２５の内部へと挿入されるようになっている。
【００５１】
図８には、パネル側ブラケット５及び補器側ブラケット８の結合過程における第四の状態が示されている。第四の状態にあっては、補器側ブラケット８はパネル側ブラケット５に結合し、これに伴って補器側コネクタ３３及びパネル側コネクタ２５の端子金具同士が電気的に接続されるようになっている。最後に、図２に示す如く一つのネジ１４及びナット１５を用いてパネル側ブラケット５及び補器側ブラケット８を固定すると、これらの結合状態が維持されるようになっている。
【００５２】
以上、図１ないし図８を参照しながら説明してきたように、本発明によれば、補器側ブラケット８における補器側コネクタ３３の動きに合わせてパネル側ブラケット５のパネル側コネクタ２５が追従することから、従来例に比べ構造的にコンパクトなコネクタ接続をすることができるという効果を奏する。また、本発明によれば、一回のネジ止めでパネル側ブラケット５及び補器側ブラケット８を固定することができるという効果を奏する。従って、従来例に比べ作業性の向上を図ることができるという効果を奏する。
【００５３】
本発明は本発明の主旨を変えない範囲で種々変更実施可能なことは勿論である。
【符号の説明】
【００５４】
１…ルーフトリム（第二取付板）
２…サンバイザ
３…ルームランプ
４…ワイヤハーネス
５…パネル側ブラケット（第一ブラケット）
６…支持ロッド
７…サンバイザ本体
８…補器側ブラケット（第二ブラケット）
９…パネル側ブラケット
１０…ルームランプ本体
１１…補器側ブラケット
１２…インナーパネル（第一取付板）
１３…フック部
１４…ネジ
１５…ナット
１６…取付孔（第一取付孔）
１７…取付板側ネジ止め部
１８…フック係合部
１９…取付孔（第二取付孔）
２０…フック逃がし部
２１…ネジ止め逃がし部
２２…ブラケット固定部
２３…一方の面
２４…パネル側ブラケット本体（第一ブラケット本体）
２５…パネル側コネクタ（第一コネクタ）
２６…パネル固定部
２７…アーム部
２８…挟持固定部
２９…接点部
３０…ハウジング
３１…ブリッジ部
３２…補器側ブラケット本体（第二ブラケット本体）
３３…補器側コネクタ（第二コネクタ）
３４…上面
３５…他方の面
３６…支持ロッド固定部
３７…コネクタ固定部
３８…ブラケット側ネジ止め部
３９…コネクタ構造体
４０…ロック部
４１…ベース
４２…被ロック部
４３…ハウジング
４４…ブリッジ部
【図１】
2011131672.tif 000003
【図２】
2011131672.tif 000004
【図３】
2011131672.tif 000005
【図４】
2011131672.tif 000006
【図５】
2011131672.tif 000007
【図６】
2011131672.tif 000008
【図７】
2011131672.tif 000009
【図８】
2011131672.tif 000010
【図９】
2011131672.tif 000011
【図１０】
2011131672.tif 000012